(57)【要約】【課題】電子マネー媒体の種類別に決済額が異なる複数の商品を選択して決済するに際して処理を円滑かつ容易に行えるようにする。【解決手段】自動販売機１０は、まずＩＣカードリーダライタ１１でＩＣカードの種類を読み取る。商品が選択されたとき、タッチパネル１３に、商品毎に読み取った種類のＩＣカード種別に対応する価格をカード別価格表示欄として表示し、使用者に各商品の決済行うＩＣカード種別を選択させ、各商品についてＩＣカードの選択が終了し、商品の販売処理をした後各ＩＣカード毎に使用金額の決済処理を行う。【選択図】図１
2008310599.tif 000002
【特許請求の範囲】
【請求項１】
取引上の決済に複数種の電子マネーサービスを使用でき、複数種の商品について前記複数種の電子マネーサービスに対応して異なる価格が設定できる自動販売機であって、
前記電子マネーサービスに対応した電子決済サービス情報を記憶した電子マネー媒体が近接配置されたとき前記電子マネー媒体から前記電子決済サービス情報を読み取るリーダライタと、
利用者が購入する商品を選択するための商品選択操作表示部と、
利用者が選択した商品についてどの電子マネーサービスを使用するかを選択するための電子決済サービス選択操作表示部と、
前記商品選択操作表示部により選択された商品を供給する商品処理部と、
前記複数種の電子マネーサービスの決済処理を行う決済処理部と、
これらの制御を行う制御部と、を備え、
前記制御部は、
前記リーダライタに順次近接配置される電子マネー媒体に対応する電子マネーサービスの種類を順次識別し、取引で使用可能な全ての電子マネー媒体についての電子マネーサービスの種類を識別した後、
前記商品選択操作表示部で複数の商品が選択されたとき、選択された商品及び当該商品についての前記識別された電子マネーサービスに対応した価格を関連付けると共に、各商品についていずれかの電子マネーサービスを選択可能な電子マネーサービス選択画像を前記電子決済サービス選択操作表示部に表示し、
前記電子マネーサービス選択画像に基づいて選択された各電子マネーサービスにおける各電子マネーの使用額を計算し、
各電子マネーサービスにおける前記使用額を表示する電子マネーサービス別使用額表示を前記電子決済サービス選択操作表示部に表示し、
選択された全ての商品について使用される電子マネーサービスが確定した後、前記決済処理部に各電子マネーサービスの決済処理を実行させることを特徴とする自動販売機。
【請求項２】
前記決済処理部は、前記体リーダライタに順次近接配置される電子マネー媒体の種類を特定し当該電子マネー媒体について決済処理を行うことを特徴とする請求項１に記載の自動販売機。
【請求項３】
前記決済処理部は、決済処理をする電子マネー媒体の順序を決定し、前記電子決済サービス選択操作表示部に決済処理をする順序に従って電子マネーサービスの種類を表示することを特徴とする請求項１または２に記載の自動販売機。
【請求項４】
取引上の決済に複数種の電子マネーサービスを使用でき、複数種の商品について前記複数種の電子マネーサービスに対応して異なる価格が設定できる自動販売機の決済方法であって、
前記電子マネーサービスに対応した電子決済サービス情報を記憶した電子マネー媒体が近接配置されたとき前記電子マネー媒体から前記電子決済サービス情報を読み取る読取ステップと、
利用者に商品選択を促す商品選択ステップと、
利用者が選択した商品についてどの電子マネーサービスを使用するかの選択を促す電子マネーサービス選択ステップと、
前記商品選択ステップにより利用者が選択した商品を供給する商品供給ステップと、
前記複数種の電子マネーサービスの決済処理を行う決済処理ステップと、を備え、
前記読取ステップにより読み取られる電子マネー媒体に対応する電子マネーサービスの種類を順次識別し、取引で使用可能な全ての電子マネー媒体についての電子マネーサービスの種類を識別した後、前記商品選択ステップにより複数の商品が選択されたとき、選択された商品及び当該商品についての前記識別された電子マネーサービスに対応した価格を関連付けると共に、各商品についていずれかの電子マネーサービスを選択可能な電子マネーサービス選択画像を前記電子マネーサービス選択ステップにより表示し、
前記電子マネーサービス選択画像に基づいて選択された各電子マネーサービスにおける各電子マネーの使用額を計算し、各電子マネーサービスにおける前記使用額を表示する電子マネーサービス別使用額表示を前記電子マネーサービス選択ステップにより表示し、
選択された全ての商品について使用される電子マネーサービスが確定した後、前記決済処理ステップにより各電子マネーサービスの決済処理を実行させることを特徴とする自動販売機の決済方法。
【請求項５】
前記決済処理ステップは、前記読取ステップにより読み取られた電子マネー媒体の種類を特定し当該電子マネー媒体について決済処理を行うことを特徴とする請求項４に記載の自動販売機の決済方法。
【請求項６】
前記決済処理ステップは、決済処理をする電子マネー媒体の順序を決定し、前記電子マネーサービス選択ステップにより決済処理をする電子マネーサービスの種類を表示することを特徴とする請求項４または５に記載の自動販売機の決済方法。
【発明の詳細な説明】
【技術分野】
【０００１】
本発明は、自動販売機及び自動販売機の決済方法に係り、更に詳しくは取引上の決済に複数種類の電子決済サービスを利用可能な自動販売機及び自動販売機の決済方法に関する。
【背景技術】
【０００２】
近年、電子マネー決済システムが導入されつつある。電子マネー決済システムは、電子マネー媒体として例えばＩＣカードを使用し、このＩＣカードに電子決済サービス情報（ＩＣカードを特定するカード番号と電子マネー残高）を記憶しておき、ＩＣカード等を使用して物販の購買等の決済ができるものである。このようなシステムとしてはプリペイド型電子マネーシステムがあり、このシステムでは買い物をする前にＩＣカード等に電子マネー残高が所定の金額になるようにチャージしておき、商品購入時に購入代金をＩＣカード等に記憶された電子マネー残高から減額する方法がとられている。
また、ＩＣカードを使用した電子マネー決済システムとして、異なる会社が提供する複数種類のもの、例えばＳｕｉｃａ、Ｅｄｙ、パスモ（いずれも登録商標）等が提供されている。これらの各ステムで使用されるＩＣカードを使用した電子マネー決済においては、決済はそれぞれのシステム毎になされる。このような現状に対応して、複数種のＩＣカードに対応した電子マネー決済を行うことができる自動販売機が開発されている。このような自動販売機では、商品選択後、選択終了の伝える操作として、決済ボタンを押下し、使用するカード種別を指定して、決済を行うようにしている。
【０００３】
特許文献１には、複数の電子マネーサービスに対応したＩＣカードを用いた電子マネー端末であって、操作手順として、１）ＩＣカードをリーダライタにタッチする、２）端末に電子マネー情報を読み込む、３）表示部に電子マネーサービス一覧を示す、４）利用したい電子マネーサービスを選択操作する、ことにより、決済処理が実行されるものが開示されている。
また、特許文献２には、複数の電子マネーサービスに加入した利用者がインターネットショッピングをするためのシステムであって、操作手順として、１）ユーザ端末にて、インターネット経由でサーバにアクセスして買い物をする、２）電子マネーカードをユーザ端末に接続したリーダライタに複数枚を順次挿入してデータを読み込ませる、３）ユーザ端末からサーバにデータを送信する、４）予めサーバが決める順位（残高の少ない順）で決済を実行する、ことにより決済処理が実行されるものが開示されている。
【特許文献１】特開２００６−３０１７８０公報
【特許文献２】特開２００４−１３３６９３公報
【発明の開示】
【発明が解決しようとする課題】
【０００４】
ところで、商品の購買、サービスの提供に際して、自動販売機での決済に使用するＩＣカードにより価格が異なるように設定されている場合がある。例えば同一商品の購買に際して、電子マネー決済システムとして、「Ａ」カードと「Ｂ」カードとを使用できる場合において、「Ａ」カードを使用すると価格が割引されるような場合がこれにあたる。
また、このような自動販売機で複数の商品を購買できる場合がある。このように複数の商品を購買するに際して、上述した場合のように複数種別のカードが使用でき、ＩＣカードの種類により価格が異なるときには、顧客が商品別にどのカードを使用して決済を行うかを指定できるようにする必要がある。このような指定ができないと顧客は複数表品の購買に際して、決済するカードを１つに絞るか、商品をカード種別毎に決済し、他の商品の購買に際しては最初のメニュー選択からやり直す必要があり、このような処理を行うと、顧客の操作負担が大きくなる他、取引がカード毎に独立して行われることとなるため領収書が複数枚になってしまうなど等の問題があった。
そこで、本発明は、電子マネー媒体の種類別に価格が異なる複数の商品を選択して決済するに際して処理を円滑かつ容易に行うことができる自動販売機及び自動販売機の決済処理方法を提供することを目的とする。
【課題を解決するための手段】
【０００５】
本発明は係る課題を解決するために、請求項１は、取引上の決済に複数種の電子マネーサービスを使用でき、複数種の商品について前記複数種の電子マネーサービスに対応して異なる価格が設定できる自動販売機であって、前記電子マネーサービスに対応した電子決済サービス情報を記憶した電子マネー媒体が近接配置されたとき前記電子マネー媒体から前記電子決済サービス情報を読み取るリーダライタと、利用者が購入する商品を選択するための商品選択操作表示部と、利用者が選択した商品についてどの電子マネーサービスを使用するかを選択するための電子決済サービス選択操作表示部と、前記商品選択操作表示部により選択された商品を供給する商品処理部と、前記複数種の電子マネーサービスの決済処理を行う決済処理部と、これらの制御を行う制御部と、を備え、前記制御部は、前記リーダライタに順次近接配置される電子マネー媒体に対応する電子マネーサービスの種類を順次識別し、取引で使用可能な全ての電子マネー媒体についての電子マネーサービスの種類を識別した後、前記商品選択操作表示部で複数の商品が選択されたとき、選択された商品及び当該商品についての前記識別された電子マネーサービスに対応した価格を関連付けると共に、各商品についていずれかの電子マネーサービスを選択可能な電子マネーサービス選択画像を前記電子決済サービス選択操作表示部に表示し、前記電子マネーサービス選択画像に基づいて選択された各電子マネーサービスにおける各電子マネーの使用額を計算し、各電子マネーサービスにおける前記使用額を表示する電子マネーサービス別使用額表示を前記電子決済サービス選択操作表示部に表示し、選択された全ての商品について使用される電子マネーサービスが確定した後、前記決済処理部に各電子マネーサービスの決済処理を実行させることを特徴とする自動販売機である。
【０００６】
本発明の自動販売機は、複数の電子マネーサービスに対応することができると共に複数種の商品に前記電子マネーサービスに対応して異なる価格を設定することができる。このため、自動販売機には、電子決済サービスを行うため、電子マネー媒体と電子マネーサービス情報をやりとりするリーダライタと、商品選択のための商品選択操作表示部と、各電子マネーサービスの決済処理を行う決済処理部とを備える。
また、自動販売機には、本発明の特徴をなす、電子決済サービスの種類を選択する電子マネーサービス選択画像が表示される電子マネーサービス選択操作表示部を備える。
【０００７】
そして、制御部は、前記リーダライタに順次近接配置される電子マネー媒体に対応する電子マネーサービスの種類を順次識別し、今回取引で使用される全ての電子マネー媒体についての電子マネーサービスの種類を識別した後、前記商品選択表示部で複数の商品が選択されたとき、選択された商品及び当該商品についての前記識別された電子マネーサービスに対応した価格を関連付けると共に、各商品についていずれかの電子マネーサービスを選択可能な電子マネーサービス選択画像を前記電子決済サービス選択操作表示部に表示し、前記電子マネーサービス選択画像に基づいて選択された各電子マネーサービスにおける各電子マネーの使用額を計算し、各電子マネーサービスにおける前記使用額を表示する電子マネーサービス別使用額表示を前記電子決済サービス選択操作表示部に表示し、選択された全ての商品について使用される電子マネーサービスが確定した後、前記決済処理部に各電子マネーサービスの決済処理を実行させるものである。
これにより、利用者は、異なる電子マネーサービスに対応して異なる価格が設定された異なる商品の中から、所望の商品を所望の電子マネーサービスを使用して購入することができる。
【０００８】
請求項２は、前記決済処理部は、前記体リーダライタに順次近接配置される電子マネー媒体の種類を特定し当該電子マネー媒体について決済処理を行うことを特徴とする。
本発明の自動販売機では、リーダライタに近接配置される電子マネー媒体の種類が特定され、その種類に応じて決済処理がなされる。使用者は、任意の順序で電子マネー媒体をリーダライタに近接配置して決済処理を行うことができる。
【０００９】
請求項３は、前記決済処理部は、決済処理をする電子マネー媒体の順序を決定し、前記電子決済サービス選択操作表示部に決済処理をする順序に従って電子マネーサービスの種類を表示することを特徴とする。
本発明の自動販売機では、電子決済サービス表示部に決済を行う電子マネー媒体の種類が表示される。使用者は、表示された種類の電子マネー媒体を電子マネーリーダライタに近接配置して決済処理を行うことができる。
【００１０】
請求項４は、取引上の決済に複数種の電子マネーサービスを使用でき、複数種の商品について前記複数種の電子マネーサービスに対応して異なる価格が設定できる自動販売機の決済方法であって、前記電子マネーサービスに対応した電子決済サービス情報を記憶した電子マネー媒体が近接配置されたとき前記電子マネー媒体から前記電子決済サービス情報を読み取る読取ステップと、利用者に商品選択を促す商品選択ステップと、利用者が選択した商品についてどの電子マネーサービスを使用するかの選択を促す電子マネーサービス選択ステップと、前記商品選択ステップにより利用者が選択した商品を供給する商品供給ステップと、前記複数種の電子マネーサービスの決済処理を行う決済処理ステップと、を備え、前記読取ステップにより読み取られる電子マネー媒体に対応する電子マネーサービスの種類を順次識別し、取引で使用可能な全ての電子マネー媒体についての電子マネーサービスの種類を識別した後、前記商品選択ステップにより複数の商品が選択されたとき、選択された商品及び当該商品についての前記識別された電子マネーサービスに対応した価格を関連付けると共に、各商品についていずれかの電子マネーサービスを選択可能な電子マネーサービス選択画像を前記電子マネーサービス選択ステップにより表示し、前記電子マネーサービス選択画像に基づいて選択された各電子マネーサービスにおける各電子マネーの使用額を計算し、各電子マネーサービスにおける前記使用額を表示する電子マネーサービス別使用額表示を前記電子マネーサービス選択ステップにより表示し、選択された全ての商品について使用される電子マネーサービスが確定した後、前記決済処理ステップにより各電子マネーサービスの決済処理を実行させることを特徴とする。
本発明は請求項１と同様の作用効果を奏する。
【００１１】
請求項５は、前記決済処理ステップは、前記読取ステップにより読み取られた電子マネー媒体の種類を特定し当該電子マネー媒体について決済処理を行うことを特徴とする。
本発明は請求項２と同様の作用効果を奏する。
請求項６は、前記決済処理ステップは、決済処理をする電子マネー媒体の順序を決定し、前記電子マネーサービス選択ステップにより決済処理をする電子マネーサービスの種類を表示することを特徴とする。
本発明は請求項３と同様の作用効果を奏する。
【発明の効果】
【００１２】
本発明によれば、制御部は、前記リーダライタに順次近接配置される電子マネー媒体に対応する電子マネーサービスの種類を順次識別し、今回取引で使用される全ての電子マネー媒体についての電子マネーサービスの種類を識別した後、前記商品選択表示部で複数の商品が選択されたとき、選択された商品及び当該商品についての前記識別された電子マネーサービスに対応した価格を関連付けると共に、各商品についていずれかの電子マネーサービスを選択可能な電子マネーサービス選択画像を前記電子決済サービス選択操作表示部に表示し、前記電子マネーサービス選択画像に基づいて選択された各電子マネーサービスにおける各電子マネーの使用額を計算し、各電子マネーサービスにおける前記使用額を表示する電子マネーサービス別使用額表示を前記電子決済サービス選択操作表示部に表示し、選択された全ての商品について使用される電子マネーサービスが確定した後、前記決済処理部に各電子マネーサービスの決済処理を実行させるので、電子マネー媒体の種類別に決済額が異なる場合における決済処理を高速かつ簡易に行うことができ、また、複数商品の決済処理をまとめて行えるため、領収書が分かれる等の不都合も回避できる。
【発明を実施するための最良の形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の１実施形態に係る自動販売機の構成ブロック図である。この自動販売機１０は、各種電子マネーサービス（電子マネーサービスＡ、電子マネーサービスＢ、電子マネーサービスＣ、電子マネーサービスＤ）に対応した電子決済情報を格納した電子マネー媒体であるＩＣカードＡ２１、ＩＣカードＢ２２、ＩＣカードＣ２３、ＩＣカードＤ２４が使用でき、また、商品として入場券、乗車、券食等を販売する券売機であるものとして説明する。この自動販売機１０では、各種メニュー（メニュー１〜メニュー１６）について、決済するカードの種類により割引金額が設定されている。
【００１４】
自動販売機１０は、前記ＩＣカード２１、２２、２３、２４が翳されたり接触されたりして、ＩＣカード２１、２２、２３、２４が近接配置されたときこのＩＣカード２１、２２、２３、２４からカード番号、残高などの電子決済サービス情報を読み取り、該電子サービス情報に含まれる残高を更新するリーダライタであるＩＣカードリーダライタ１１と、購入する商品を選択するための商品選択操作表示部であるメニュー選択ボタン１２と、前記選択された商品とこの商品についてどの電子マネーサービスを使用するかを選択するための電子決済サービス選択操作表示部であるタッチパネル１３と、メニュー選択ボタン１２で選択され、決済された商品を供給する商品処理部である発券処理部１４と、複数種の電子マネーサービスの決済処理を行う決済処理部１５と、ネットワークに接続するための通信制御部１６と、現金による決済を行う現金処理部１７と、各部の制御を行う制御部１８とが配置されている。
【００１５】
図２は自動販売機の操作パネルを示す模式図である。操作パネル３０には、前記ＩＣカードリーダライタ１１のタッチ面１１１、メニュー選択ボタン１２、タッチパネル１３が配置されている。また、操作パネル３０には、利用者が押下することにより選択が決定される決定ボタン３１、決済に現金を使用する場合に紙幣を挿入する紙幣挿入口３２、硬貨投入口３３、釣銭レバー３４、発券処理部１４の発券口３５、釣銭取出口３６が配置されている。
メニュー選択ボタン１２は、メニュー１〜メニュー１６を指定するボタン１２１が１６個配置されており、各ボタン１２１にはボタンが押されて点灯しメニューが指定されたことを示すランプ１２２が配置されている。
また、タッチパネル１３は、液晶表示パネルを使用したものであり、制御部１８の制御に基づいて、メニューとＩＣカードの組み合わせによる料金欄、ＩＣカード別使用金額等の各種の表示がなされ、使用者が表示欄に接触することにより、表示項目が選択できるようになっている。
説明を簡単にするため、本例では、３種類のメニュー、メニュー１、メニュー２、メニュー３が選択されたものとし、各メニューは、４種のＩＣカードＡ２１、ＩＣカードＢ２２、ＩＣカードＤ２３、ＩＣカードＤ２４に対して以下の料金であるものとする。
【００１６】
図３は、各商品の各電子マネーサービスに対応するＩＣカードを使用した場合の料金を示す表である。
メニュー１は、ＩＣカードＡで決済した場合は５００円、ＩＣカードＢで決済した場合は４８０円、ＩＣカードＣで決済した場合は４８５円、ＩＣカードＤで決済した場合は５００円、現金で決済した場合は５００円である。同様にメニュー２は、同じ順に、４２０円、４５０円、４３６円、４５０円、４５０円である。また、メニュー３は、９０円、９０円、８７円、９０円、９０円である。
このような自動販売機１０において、制御部１８は、各部に対して次のような制御をする。以下、自動販売機１０におけるメニューの選択と、精算とに分けて説明する。また、以下の例ではＩＣカード２１、２２、２３、２４を用いて決済を行う例だけを説明する。
まず、自動販売機１０が使用されるＩＣカードに対応する電子マネーサービスの種別を判別する処理について説明する。本発明では、電子マネーサービスが採用する規格により異なるＩＣカードの認識方法に対応して２種類の認識方法を採用することができる。
まず、電子マネー媒体リーダライタが近接配置されたＩＣカードに対応する電子マネーサービスの種別を認識できる場合について説明する。
【００１７】
図４は本発明に係る自動販売機の第１のＩＣカード認識処理を示すフローチャート、図５は本発明に係る自動販売機の第１のＩＣカード認識処理を示すタイミングチャートである。
本例において、自動販売機は、４種類のＩＣカード、即ちＩＣカードＡ、ＩＣカードＢ、ＩＣカードＣ、ＩＣカードＤを使用した決済が可能であり、使用者は、ＩＣカードＡ、ＩＣカードＣを所持しているものとする。
使用者は、使用する自動販売機１０のＩＣカードリーダライタ１１に最初のＩＣカード（図５ではＩＣカードＡ）を翳したり、接触させたりする（ステップＳ１１）。すると、ＩＣカードリーダライタ１１は、近接配置されたＩＣカードを自動的に認識する（ステップＳ１２）、次のＩＣカードがある場合には、使用者は、次のＩＣカード（図５の例ではＩＣカードＣ）をＩＣカードリーダライタ１１に近接配置すると、ＩＣカードリーダライタ１１はこのＩＣカードを自動的に認識する。この処理を使用者が所持する全てのＩＣカードについて行う（ステップＳ１３、ステップＳ１４）。使用者は、所持するカードを全て認識させたら決定ボタン３１を押下し、自動販売機１０はメニューの選択処理（ステップＳ１５）に進む。
【００１８】
このとき、タッチパネル１３には、図５に示すように、ＩＣカードＡ、ＩＣカードＢ、ＩＣカードＣ、ＩＣカードＤの表示欄５１が表示され、決済に使用できるＩＣカードの該当欄を順次点灯していく（図５中表示欄５２、表示欄５３）。これにより、使用者はどのＩＣカードが使用可能となっているかを認識することができる。
以上の説明では、決済とは無関係にＩＣカードをＩＣカードリーダライタに近接しただけでＩＣカードリーダライタがＩＣカードの電子マネーサービスの種別を認識可能な場合を例示したが、旧来のＩＣカードの中にはＩＣカードリーダライタに近接しただけではＩＣカードに対応する電子マネーサービスの種別を認識できないものも存在する。このようなＩＣカードに対応すべく、ＩＣカードリーダライタから「０円減額」の信号を送り、この信号に対するＩＣカードからの応答信号に基づいて電子マネーサービスの種別を認識できする場合について説明する。
【００１９】
図６は本発明に係る自動販売機の第２のＩＣカード認識処理を示すフローチャート、図７は本発明に係る自動販売機の第２のＩＣカード認識処理を示すタイミングチャートである。
本例において、自動販売機は、４種類のＩＣカード、即ちＩＣカードＡ、ＩＣカードＢ、ＩＣカードＣ、ＩＣカードＤが使用でき、使用者は、ＩＣカードＡ、ＩＣカードＣを使用する。
使用者は、使用する自動販売機１０のＩＣカードリーダライタ１１に最初のＩＣカード、例えばＩＣカードＡを翳したり、接触させたりする（ステップＳ２１）。すると、ＩＣカードリーダライタ１１は「０円減額」の信号を使用可能な全てのＩＣカード（図５の場合ＩＣカードＡ〜ＩＣカードＤ）について実行する（ステップＳ２２）。
すると、近接配置されたＩＣカードから正常な応答があり、その他のＩＣカードからは応答がないので、ＩＣカードリーダライタ１１は、どのＩＣカードカードが近接配置され、今回の取引で使用されるかを判別することができる（図７ではＩＣカードＡが認識された）。
【００２０】
次のＩＣカードがある場合には、使用者は、次のＩＣカード、例えばＩＣカードＣをＩＣカードリーダライタ１１に近接配置すると、ＩＣカードリーダライタ１１は認識したＩＣカード以外のＩＣカード（図７ではＩＣカードＢ、ＩＣカードＣ、ＩＣカードＤ）についての上述した処理を行いＩＣカードの認識を行う。この処理を全てのＩＣカードについて行う（ステップＳ２３、ステップＳ２４）。使用者は、使用するカードを全て認識させたら決定ボタン３１を押下し、自動販売機１０はメニューの選択処理（ステップＳ２５）に進む。
このとき、タッチパネル１３には、図７に示すように、ＩＣカードＡ、ＩＣカードＢ、ＩＣカードＣ、ＩＣカードＤの表が表示され、使用できるＩＣカードの該当欄を順次点灯して行く（図７中、表示欄６１、表示欄６２、表示欄６３）。これにより、使用者はどのＩＣカードが使用可能となっているかを認識することができる。
【００２１】
次にメニューの選択について説明する。
本例では、使用者は、ＩＣカードＡで、メニュー１、メニュー３を、ＩＣカードＣでメニュー２を選択するものとする。
自動販売機１０がＩＣカードを認識した状態で、使用者がメニュー選択ボタン１２からメニュー１、メニュー２及びメニュー３を選択すると、タッチパネル１３には電子マネーサービス選択画面７０が表示される。
【００２２】
図８はタッチパネルにおける電子マネーサービス選択画面を示す模式図である。電子マネーサービス選択画面７０には、メニュー１、メニュー２及びメニュー３についてのＩＣカードＡ及びＩＣカードＣでの価格が左から安い順に表示された表示欄７１、７２、７３が表示される。また、電子マネーサービス選択画面７０には、各ＩＣカードの使用額を表示する使用額欄７４が表示される。
図８に示した例では、各メニューに対してＩＣカードＡと、ＩＣカードＣで決済した場合の金額が高い順に左から表示されている。即ち、メニュー１の表示欄７１では、左からＩＣカードＣ：４８５円、ＩＣカードＡ：５００、メニュー２の表示欄７２では、左からＩＣカードＡ：４２０円、ＩＣカードＣ：４３６円の表示、メニュー３の表示欄７３では、左からＩＣカードＣ：８７円、ＩＣカードＡ：９０円の表示がされる。また、使用額欄７４には、決済に係る合計額及び各ＩＣカードについての使用額が表示される。
そして、使用者は、各表示欄７１、７２、７３から各メニューの決済処理を行うＩＣカードを選択する。選択されたＩＣカードの欄は点灯表示される。
使用者が使用するＩＣカードを選択すると使用額欄７４にはそれぞれのＩＣカードの欄及び合計額に決済に係る金額が表示される。
使用者による商品及び使用電子マネーサービスの指定が終了すると、ＩＣカードによる決済が行われる。
【００２３】
次に自動販売機１０におけるＩＣカードの決済手順について説明する。ここで決済は、決済処理部１５がＩＣカードリーダライタ１１によって前記メニュー選定で指定され、使用者により決定ボタン３１が押下されて決定された複数のＩＣカードのそれぞれの電子マネー情報を更新することによって行われる。本例に係る自動販売機１０では以下に説明する３種類の決済手順から所定の手順を採用することができる。なお、以下の例では、前述したメニュー選定処理で行った金額を決済するものとして説明する。
第１の手順は、ＩＣカードリーダライタ１１に近接配置されたＩＣカードをその順番に処理して行くものである。この場合ＩＣカードリーダライタ１１には、決済処理からの全ての決済情報を受け取ることができ、かつＩＣカードリーダライタ１１はＩＣカードをＩＣカードリーダライタ１１に近接させた状態でＩＣカードの種類を判別できる機能を備える。
【００２４】
図９は本発明の自動販売機に係る第１の決済処理の手順を示すフローチャート、図１０は本発明の自動販売機に係る第１の決済処理の手順を示すタイミングチャートである。
まずＩＣカードリーダライタ１１は、決済処理部１５から全ての決済情報を受け取る（ステップＳ３１）。図１０に示す例では、決済情報は、ＩＣカードＣに対して５７２円、ＩＣカードＡに対して４２０円を減額するものである。最初のＩＣカードであるＩＣカードＣが近接配置されるとＩＣカードＣの決済処理を行い、ＩＣカードＣから５７２円減額する処理を行う（ステップＳ３２）。次いで次のＩＣカードであるＩＣカードＡが近接配置されると、ＩＣカードＡから４２０円減額する処理を行う。この処理を必要に応じて繰り返し（ステップＳ３３）、全てのカードについて決済処理が終了すると、決済結果を出力して領収書発行などの処理を行い決済処理は終了する（ステップＳ３４）。
なお、この決済処理では、ＩＣカードを近接配置させる順序は定められておらず、どのような順序でＩＣカードを近接させてもよい。
【００２５】
次に第２の決済手順について説明する。この処理は、タッチパネル１３に決済処理を行うＩＣカードの順序を表示し、使用者はその順序でＩＣカードをＩＣカードリーダライタ１１に近接配置する。
図１１は本発明の自動販売機に係る第２の決済処理の手順を示すフローチャート、図１２は本発明の自動販売機に係る第２の決済処理の手順を示すタイミングチャートである。
まず制御部１８は処理の順序を決定する（ステップＳ４１）。この順序は、特に定められていないが、例えば決済金額の大きい順とすることができる。そして、制御部１８は、タッチパネル１３にＩＣカードリーダライタ１１への近接を促すＩＣカードの種別を順次表示する（ステップＳ４２）。
使用者は、この表示に基づいて最初のＩＣカード、図１２に示す例では、ＩＣカードＣを近接配置する。これにより、ＩＣカードリーダライタ１１は近接配置されたＩＣカードの決済処理を行う（ステップＳ４３）。この例では、ＩＣカードＣから５７２円を減額する。
次に処理するＩＣカードがあるときには、次に近接配置を促すＩＣカードの種類をタッチパネル１３に表示し（ステップＳ４５）、当該ＩＣカードがＩＣカードリーダライタ１１に近接配置されると当該ＩＣカードの決済処理を行う（ステップＳ４６）。この示す例では、ＩＣカードＡから４２０円減額する。
この処理を必要に応じて繰り返し（ステップＳ４４、４４、４６）、全てのＩＣカードについて決済処理が終了すると決済結果を出力して領収書の発行等を行い（ステップＳ４７）決済処理は終了する。
【００２６】
次に第３の決済手順について説明する。この決済処理は、ＩＣカードリーダライタ１１が決済対象とする電子マネーサービスの決済処理を循環的に実行するものである。即ち、１種類のＩＣカードが１１に近接配置されている間に全種類の電子マネーサービスの決済処理が一巡するので、近接配置されたＩＣカードに対応する決算処理がそのＩＣカードの決算処理タイミングで実行される。
図１３は本発明の自動販売機に係る第３の決済処理の手順を示すフローチャート、図１４は本発明の自動販売機に係る第３の決済処理の手順を示すタイミングチャートである。
まず制御部１８で、決済処理の順序が決定される（ステップＳ５１）。本例では決済対象となるＩＣカードは、ＩＣカードＡ、ＩＣカードＣであるので、決済、金額の高い順にＩＣカードＣ、ＩＣカードＡ、ＩＣカード、…、と循環的に処理がされる。この決済の順序は、使用されるＩＣカードについて決済処理が行われるものであれば、特に限定されない。
【００２７】
そして、この順序に従ってＩＣカードリーダライタ１１で減算処理がなされ（ステップＳ５２）、減算処理ができないときには、次のＩＣカードから当該ＩＣカードが決済すべき金額を減算する循環処理がなされる（ステップＳ５４、ステップＳ５２）。例えば、図１４に示す例では、ＩＣカードＣから５７２円を、ＩＣカードＡから４２０円を減算する処理が繰り返して行われる。
これらの処理（ステップＳ５２、ステップＳ５３、ステップＳ５４）が循環されて行われる途中に減算処理ができたＩＣカードがあると（図１４では、最初にＩＣカードＡがＩＣカードリーダライタ１１に近接配置され減算処理ができた）、このＩＣカードの精算処理をし、次の循環処理（ステップＳ５４、ステップＳ５２）を行う。全てのＩＣカードから減算処理が終了すると決済結果を出力して領収書の発行等を行い（ステップＳ５７）決済処理は終了する。
図１４の例では、２回目の循環処理で、ＩＣカードＣから５７２円の減算ができたので全てのＩＣカードについて減算処理が終了する。
【００２８】
以上説明したように、本例に係る自動販売機１０では、上述したメニューの指定と、ＩＣカードの決済処理を順次行うことにより、ＩＣカードの種類別に価格が異なる複数のメニューを選択して購買するに際して、メニューの選択処理を及びＩＣカード毎の決済処理を円滑かつ容易に行うことができる。
尚、プリペイド方式だけでなくクレジットなどのポストペイド方式のＩＣカードでもよい。また、携帯電話などの携帯端末にＩＣカード機能を持たせて、複数種類のＩＣカードを対応させたものでも良い。
【図面の簡単な説明】
【００２９】
【図１】本発明の１実施形態に係る自動販売機の構成ブロック図である。
【図２】自動販売機の操作パネルを示す模式図である。
【図３】各メニューの各電子マネーサービスに対応する料金を示す図である。
【図４】本発明に係る自動販売機の第１のＩＣカード認識処理を示すフローチャートである。
【図５】本発明に係る自動販売機の第１のＩＣカード認識処理を示すタイミングチャートである。
【図６】本発明に係る自動販売機の第２のＩＣカード認識処理を示すフローチャートである。
【図７】本発明に係る自動販売機の第２のＩＣカード認識処理を示すタイミングチャートである。
【図８】タッチパネルにおける電子マネーサービス選択画面を示す模式図である。
【図９】本発明の自動販売機に係る第１の決済処理の手順を示すフローチャートである。
【図１０】本発明の自動販売機に係る第１の決済処理の手順を示すタイミングチャートである。
【図１１】本発明の自動販売機に係る第２の決済処理の手順を示すフローチャートである。
【図１２】本発明の自動販売機に係る第２の決済処理の手順を示すタイミングチャートである。
【図１３】本発明の自動販売機に係る第３の決済処理の手順を示すフローチャートである。
【図１４】本発明の自動販売機に係る第３の決済処理の手順を示すタイミングチャートである。
【符号の説明】
【００３０】
１０  自動販売機、１１  ＩＣカードリーダライタ、１２  メニュー選択ボタン、１３  タッチパネル、１４  発券処理部、１５  決済処理部、１６  通信制御部、１７  現金処理部、１８  制御部、２１、２２、２３、２４  ＩＣカード、３０  操作パネル、３１  決定ボタン、３２  紙幣挿入口、３３  硬貨投入口、３４  釣銭レバー、３５  発券口、３６  釣銭取出口、５１  表示欄、５２  表示欄、５３  表示欄、６１  表示欄、６２  表示欄、６３  表示欄、７０  電子マネーサービス選択画面、７１  表示欄、７２  表示欄７３  表示欄、７４  使用額欄、１１１  タッチ面、１２１  ボタン、１２２  ランプ
【図１】
2008310599.tif 000003
【図２】
2008310599.tif 000004
【図３】
2008310599.tif 000005
【図４】
2008310599.tif 000006
【図５】
2008310599.tif 000007
【図６】
2008310599.tif 000008
【図７】
2008310599.tif 000009
【図８】
2008310599.tif 000010
【図９】
2008310599.tif 000011
【図１０】
2008310599.tif 000012
【図１１】
2008310599.tif 000013
【図１２】
2008310599.tif 000014
【図１３】
2008310599.tif 000015
【図１４】
2008310599.tif 000016